(57)【要約】  本発明は、局側装置（ＯＬＴ）、および局側装置との間で複数の論理リンクを設定可能な加入者側装置（ＯＮＵ）を含み、局側装置は加入者側装置の管理用の信号を単一論理リンクで送信する光通信システムにおいて実行する論理リンク管理方法であって、局側装置が、加入者側装置との間の論理リンクの接続状態が変化したかどうかを監視する状態監視ステップと、局側装置が、状態監視ステップにおいて論理リンクの接続状態変動を検出した場合、加入者側装置の管理用信号を送信するために使用する論理リンクである装置管理用論理リンクを、所定の手順にて再設定するリンク再設定ステップと、を含む。
2012090323.tif 000002
【特許請求の範囲】
【請求項１】
局側装置、および前記局側装置との間で複数の論理リンクを設定可能な加入者側装置を含み、前記局側装置は前記加入者側装置の管理用の信号を単一論理リンクで送信する光通信システムにおいて実行する論理リンク管理方法であって、
前記局側装置が、前記加入者側装置との間の論理リンクの接続状態が変化したかどうかを監視する状態監視ステップと、
前記局側装置が、前記状態監視ステップにおいて前記論理リンクの接続状態変動を検出した場合、前記加入者側装置の管理用信号を送信するために使用する論理リンクである装置管理用論理リンクを、所定の手順にて再設定するリンク再設定ステップと、
を含むことを特徴とする論理リンク管理方法。
【請求項２】
前記リンク再設定ステップでは、各論理リンクに個別に設定されている優先度であって、前記装置管理用論理リンクを選択する際の指標となる優先度に基づいて装置管理用論理リンクを再設定する
ことを特徴とする請求項１に記載の論理リンク管理方法。
【請求項３】
前記リンク再設定ステップでは、接続中の状態にある論理リンクのうち、前記優先度が最も高い論理リンクを装置管理用論理リンクに設定する
ことを特徴とする請求項２に記載の論理リンク管理方法。
【請求項４】
前記リンク再設定ステップでは、配下の各ＯＮＵとの間の論理リンク各々の設定帯域に基づいて装置管理用論理リンクを再設定する
ことを特徴とする請求項１に記載の論理リンク管理方法。
【請求項５】
前記リンク再設定ステップでは、接続中の状態にある論理リンクのうち、設定帯域が最も大きい論理リンクを装置管理用論理リンクに設定する
ことを特徴とする請求項４に記載の論理リンク管理方法。
【請求項６】
前記リンク再設定ステップでは、設定帯域が最大の論理リンクが複数存在する場合、上り方向のトラヒック量が最も少ない論理リンクを装置管理用論理リンクに設定する
ことを特徴とする請求項５に記載の論理リンク管理方法。
【請求項７】
前記リンク再設定ステップでは、配下の各ＯＮＵとの間の論理リンク各々の帯域更新周期に基づいて装置管理用論理リンクを再設定する
ことを特徴とする請求項１に記載の論理リンク管理方法。
【請求項８】
前記リンク再設定ステップでは、接続中の状態にある論理リンクのうち、帯域更新周期が最も小さい論理リンクを装置管理用論理リンクに設定する
ことを特徴とする請求項７に記載の論理リンク管理方法。
【請求項９】
前記リンク再設定ステップでは、帯域更新周期が最小の論理リンクが複数存在する場合、上り方向のトラヒック量が最も少ない論理リンクを装置管理用論理リンクに設定する
ことを特徴とする請求項８に記載の論理リンク管理方法。
【請求項１０】
前記リンク再設定ステップでは、配下の各ＯＮＵとの間の論理リンク各々における、上り方向のトラヒック量に基づいて装置管理用論理リンクを再設定する
ことを特徴とする請求項１に記載の論理リンク管理方法。
【請求項１１】
前記リンク再設定ステップでは、接続中の状態にある論理リンクのうち、上り方向のトラヒック量が最も少ない論理リンクを装置管理用論理リンクに設定する
ことを特徴とする請求項１０に記載の論理リンク管理方法。
【請求項１２】
前記局側装置は、前記加入者側装置の管理用の信号を送信する場合、管理用データの先頭部分に、送信データが装置管理用のデータであることを示す情報を付加して送信する
ことを特徴とする請求項１に記載の論理リンク管理方法。
【請求項１３】
前記加入者側装置は、前記局側装置から装置管理用のデータを受信し、当該受信した装置管理用データに対する応答用データの送信が必要な場合、前記局側装置から当該装置管理用データを受信した論理リンクで応答用データを送信することを特徴とする請求項１２に記載の論理リンク管理方法。
【請求項１４】
局側装置、および前記局側装置との間で複数の論理リンクを設定可能な加入者側装置を含み、前記局側装置は前記加入者側装置の管理用の信号を１つの論理リンクを固定的に使用して送信する光通信システムにおいて、前記局側装置として動作する通信装置であって、
前記加入者側装置との間の各論理リンクの設定状態を監視する状態監視手段と、
前記状態監視手段による監視結果に基づいて、前記加入者側装置の管理用信号を送信するために固定的に使用する論理リンクである装置管理用論理リンクの再設定が必要か否かを判断するとともに、再設定が必要な場合には、所定の手順にて装置管理用論理リンクを再設定する論理リンク管理手段と、
を備えることを特徴とする通信装置。
【請求項１５】
前記論理リンク管理手段は、各論理リンクに予め設定されていた優先度であって、前記装置管理用論理リンクとして選択する際の論理リンクごとの優先度に基づいて装置管理用論理リンクを再設定する
ことを特徴とする請求項１４に記載の通信装置。
【請求項１６】
前記論理リンク管理手段は、配下の各ＯＮＵとの間の論理リンク各々の設定帯域に基づいて装置管理用論理リンクを再設定する
ことを特徴とする請求項１４に記載の通信装置。
【請求項１７】
前記論理リンク管理手段は、配下の各ＯＮＵとの間の論理リンク各々の帯域更新周期に基づいて装置管理用論理リンクを再設定する
ことを特徴とする請求項１４に記載の通信装置。
【請求項１８】
前記論理リンク管理手段は、配下の各ＯＮＵとの間の論理リンク各々における、上り方向のトラヒック量に基づいて装置管理用論理リンクを再設定する
ことを特徴とする請求項１４に記載の通信装置。
【請求項１９】
前記加入者側装置の管理用の信号を送信する場合、管理用データの先頭部分に、送信データが装置管理用のデータであることを示す情報を付加して送信する装置管理用データ送信手段、
をさらに備えることを特徴とする請求項１４に記載の通信装置。
【発明の詳細な説明】
【技術分野】
【０００１】
本発明は、親局装置と複数の子局装置が１対多の接続する通信システムにおいて、親局装置と子局装置との間に設定する論理リンクを管理するための論理リンク管理方法、および論理リンクの管理を行う通信装置に関する。
【背景技術】
【０００２】
近年、各家庭や企業などと上位ネットワークとを結ぶアクセス系ネットワークに、ＰＯＮ（Ｐａｓｓｉｖｅ  Ｏｐｔｉｃａｌ  Ｎｅｔｗｏｒｋ）システムが用いられるようになってきている。ＰＯＮは、親局装置（ＯＬＴ：Ｏｐｔｉｃａｌ  Ｌｉｎｅ  Ｔｅｒｍｉｎａｌ）と多数の子局装置（ＯＮＵ：Ｏｐｔｉｃａｌ  Ｎｅｔｗｏｒｋ  Ｕｎｉｔ）を光ファイバおよびスプリッタにて１対多接続した構成の通信システムである。【０００３】
ＰＯＮシステムとしては、たとえば、非特許文献１に規定されるＥＰＯＮ（Ｅｔｈｅｒｎｅｔ（登録商標）  ＰＯＮ）システムが存在する。このＥＰＯＮシステムでは、上下方向の通信をそれぞれ１Ｇｂｉｔ／ｓのデータ伝送レートとし、上下異なる波長を用いた波長多重による双方向通信を行う。ＯＮＵが上りデータを送信する際には、上り帯域を複数ＯＮＵで分割して使用する時分割多重方式によりデータを送信する。【０００４】
また、ＥＰＯＮシステムでは論理リンク毎にデータを送信する制御を行う一方、論理リンク毎に管理チャネルを設けることが非特許文献１に定められている。管理チャネルは、論理リンクの管理および装置の管理（子局装置の管理）を行うために利用するチャネルであり、たとえば、装置の管理においては、装置管理状態の取得、通知および装置設定等を行う。管理チャネルを使用した制御ではＯＡＭ（Ｏｐｅｒａｔｉｏｎ、Ａｄｍｉｎｉｓｔｒａｔｉｏｎ、Ｍａｉｎｔｅｎａｎｃｅ）フレームを用いて制御用データを送受信する。
【先行技術文献】
【非特許文献】
【０００５】
【非特許文献１】ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．３
【発明の概要】
【発明が解決しようとする課題】
【０００６】
従来のＰＯＮシステムではＯＮＵ１台につき１つの論理リンクを設定して通信を行うのが一般的であったが、多様なサービスを柔軟に実現することを目的として、ＯＬＴとの間で複数の論理リンクを設定可能なＯＮＵも普及しつつある。しかしながら、非特許文献１に記載の技術は、ＯＮＵ１台につき１論理リンクを設定した場合を前提としており、１つのＯＮＵに複数の論理リンクを設定する場合の管理チャネルの実装や運用方法について規定されていない。【０００７】
特に、装置を管理するための管理チャネルを複数の論理リンクの中のどれに設けるか（どの論理リンクを使用して装置管理を行うか）について規定されていない。通常、論理リンクは１つずつ設定されていくはずなので、最初に設定された論理リンクに装置管理用の管理チャネルを設けるようにすればよいとも考えられるが、そのようにした場合、以下のような問題発生が予想される。【０００８】
ＰＯＮシステムでは、消費電力の削減と複数ＯＮＵで分割使用される上り帯域の有効利用の実現が望まれる。例えば、映像配信サービスを利用する場合、ユーザの物理ポートにはＳＴＢ（Ｓｅｔ  Ｔｏｐ  Ｂｏｘ）を接続し、ＯＮＵの上位から映像データを流す論理リンクを設定する。このとき、ＳＴＢが接続されていない、または電源が入っていない状態など、映像配信サービスを受け付けない状況であれば、当該論理リンクを使用しないため、切断してもサービスに支障はない。当該論理リンクを切断すれば、当該論理リンクの通信に必要な電力を浪費することはなく消費電力を削減できる。また、データ通信に用いる上り帯域を浪費することもない。このように、多数の論理リンクを実装（設定）したＯＮＵの省電力化を行う際には、使用していない論理リンクを切断することが有効な手段の一つである。【０００９】
しかしながら、装置管理用の管理チャネルが設けられている論理リンクについては、切断してしまうと装置（ＯＮＵ）の管理ができなくなるので、ユーザがサービスを利用していない状態においても切断することができず、消費電力の削減ができないという問題がある。また、上り帯域の浪費を防止することができないという問題もある。すでに説明したように、非特許文献１には１つのＯＮＵに複数の論理リンクを設定する場合の管理チャネルの実装や運用方法が規定されておらず、装置管理用の論理リンク（装置を管理するための管理チャネルが設けられた論理リンク）を変更する方法についても規定されていないためである。【００１０】
本発明は、上記に鑑みてなされたものであって、複数の論理リンクが設定可能なＯＮＵにおける低消費電力化を実現するとともに上り帯域の効率的な利用を実現する論理リンク管理方法および通信装置を得ることを目的とする。
【課題を解決するための手段】
【００１１】
上述した課題を解決し、目的を達成するために、本発明は、局側装置、および前記局側装置との間で複数の論理リンクを設定可能な加入者側装置を含み、前記局側装置は前記加入者側装置の管理用の信号を単一論理リンクで送信する光通信システムにおいて実行する論理リンク管理方法であって、前記局側装置が、前記加入者側装置との間の論理リンクの接続状態が変化したかどうかを監視する状態監視ステップと、前記局側装置が、前記状態監視ステップにおいて前記論理リンクの接続状態変動を検出した場合、前記加入者側装置の管理用信号を送信するために使用する論理リンクである装置管理用論理リンクを、所定の手順にて再設定するリンク再設定ステップと、を含むことを特徴とする。
【発明の効果】
【００１２】
本発明にかかる論理リンク管理方法を適用した場合、局側装置は、配下の各加入者側装置との間の論理リンクの接続状態が変化した場合、装置管理用論理リンクを再設定するので、装置管理チャネル用論理リンクとして使用していた論理リンクを切断した場合においても、新たな装置管理チャネル用論理リンクを使用して加入者側装置の装置管理を継続できるという効果を奏する。また、システムの低消費電力化および上り帯域の利用効率向上を実現できるという効果を奏する。
【図面の簡単な説明】
【００１３】
【図１】図１は、本発明にかかる論理リンク管理方法を適用する通信システムおよび通信装置の構成例を示す図である。
【図２】図２は、ＯＬＴの装置管理チャネル制御部で保持している論理リンク状態管理テーブルの一例を示す図である。
【図３】図３は、実施の形態１にかかるＯＬＴの装置管理チャネル制御部が装置管理チャネル設定用の論理リンクを決定する方法の一例を示すフローチャートである。
【図４】図４は、装置管理チャネルの設定変更動作を示すシーケンス図である。
【図５】図５は、従来の通信システムにおいて論理リンクの接続状態が変化した場合の動作例を示す図である。
【図６】図６は、実施の形態１にかかる通信システムにおいて論理リンクの接続状態が変化した場合の動作例を示す図である。
【図７】図７は、従来の論理リンク制御動作の一例を示す図である。
【図８】図８は、実施の形態１の論理リンク制御動作の一例を示す図である。
【図９】図９は、ＯＬＴの装置管理チャネル制御部で保持している論理リンク状態管理テーブルの一例を示す図である。
【図１０】図１０は、実施の形態２にかかるＯＬＴの装置管理チャネル制御部が装置管理チャネル設定用の論理リンクを決定する方法の一例を示すフローチャートである。
【図１１】図１１は、ＯＬＴの装置管理チャネル制御部で保持している論理リンク状態管理テーブルの一例を示す図である。
【図１２】図１２は、実施の形態３にかかるＯＬＴの装置管理チャネル制御部が装置管理チャネル設定用の論理リンクを決定する方法の一例を示すフローチャートである。
【図１３】図１３は、実施の形態４にかかるＯＬＴの構成例を示す図である。
【図１４】図１４は、ＯＬＴの装置管理チャネル制御部で保持している論理リンク状態管理テーブルの一例を示す図である。
【図１５】図１５は、実施の形態４にかかるＯＬＴの装置管理チャネル制御部が装置管理チャネル設定用の論理リンクを決定する方法の一例を示すフローチャートである。
【図１６】図１６は、実施の形態５にかかるＯＮＵの構成例を示す図である。
【図１７】図１７は、実施の形態５にかかる通信システムで使用する管理チャネルのデータフレームフォーマットの一例を示す図である。
【図１８】図１８は、実施の形態５にかかる通信システムにおける装置管理用フレームの送受信動作の一例を示す図である。
【発明を実施するための形態】
【００１４】
以下に、本発明にかかる論理リンク管理方法および通信装置の実施の形態を図面に基づいて詳細に説明する。なお、この実施の形態によりこの発明が限定されるものではない。
【００１５】
実施の形態１．
図１は、本発明にかかる論理リンク管理方法を適用する通信システムおよび通信装置の構成例を示す図である。
【００１６】
図１に示すように、本実施の形態の通信システムは、ＯＬＴ（親局装置）１と、複数のＯＮＵ（子局装置）２と、ＯＬＴ１と各ＯＮＵ２とを接続する光ファイバ３と、光ファイバ３を１対多接続用に分岐するスプリッタ４と、ＯＬＴ１の上位に接続する上位通信装置５と、ＯＮＵ２の配下に接続する端末通信装置６と、を備えている。なお、各ＯＮＵ２の内部構成は同一である。そのため、図１では１台のＯＮＵ２の構成のみを記載している。また、図１ではＯＬＴ１に３台のＯＮＵが接続された場合の例を示しているが、ＯＮＵの接続台数はこれに限られたものではない。
【００１７】
本実施の形態のＯＬＴ１は、フレーム多重部１０、光送信部１１、フレーム抽出部１２、光受信部１３、装置管理部１４、論理リンク管理部１５および装置管理チャネル制御部１６を備える。
【００１８】
ＯＬＴ１において、フレーム多重部１０は、上位通信装置５からの下りフレームを受信すると共に管理チャネルデータフレームを多重する。管理チャネルデータフレームとは、論理リンクを管理するための情報（データ）やＯＮＵの管理（装置管理）を行うための情報（データ）を含んだフレームであり、これらの情報は管理チャネルにて送信される。光送信部１１は、フレーム多重部１０により多重されたフレームを各ＯＮＵ２に光信号として送信する。フレーム抽出部１２は、光受信部１３経由で受信した上りデータフレームから管理チャネルデータフレームを抽出するとともに、一般データを上位通信装置５へ送信する。光受信部１３は、ＯＮＵ２からの光信号を受信する。装置管理部１４は、光ファイバ３およびスプリッタ４を介して接続された各ＯＮＵ２の装置管理を行う。装置管理では、たとえば、装置（ＯＮＵ２）の故障検出を行う。また、データフレームの優先制御動作の設定などを行う。論理リンク管理部１５は、配下の各ＯＮＵ２との間の論理リンクを管理すると共に、管理チャネルデータフレームを送受信する。論理リンクの管理では、論理リンクの接続・切断制御や論理リンクの切断検出などを行う。切断検出では、たとえば、ある一定期間にわたってＯＮＵ２からデータが全く送信されてこない場合、または、ＯＮＵ２に対して送信したデータに対する応答をある一定期間内に受信できない場合に、論理リンクが切断したと判断する。装置管理チャネル制御部１６は、装置管理部１４による装置管理において使用する管理チャネル、すなわち、装置管理用のデータを送受信する際に使用する論理リンクを管理する。
【００１９】
本実施の形態の各ＯＮＵ２は、フレーム抽出部２０、光受信部２１、フレーム多重部２２、光送信部２３、装置管理部２４、論理リンク管理部２５および装置管理チャネル制御部２６を備える。
【００２０】
ＯＮＵ２において、フレーム抽出部２０は、光受信部２１経由で受信した下りデータフレームから管理チャネルデータフレームを抽出するとともに、一般データを下位端末通信装置６に送信する。光受信部２１は、下り光信号を受信する。フレーム多重部２２は、端末通信装置６から上り信号を受信するとともに、管理チャネルデータフレームを多重する。光送信部２３は、ＯＬＴ１に光信号を送信する。装置管理部２４は、自装置（ＯＮＵ２）の装置管理を行う。論理リンク管理部２５は、ＯＬＴ１との間の論理リンクを管理するとともに、管理チャネルデータフレームを送受信する。装置管理チャネル制御部２６は、装置管理部２４による装置管理において使用する管理チャネルを設定する論理リンクを管理する。
【００２１】
ここで、本発明の主要動作を説明する前に、ＯＬＴ１とＯＮＵ２の通常の通信動作について説明する。まずＯＮＵ２は端末通信装置６からデータをフレーム多重部２２にて受信し、ＯＬＴ１からの送信許可に基づいて光送信部２３を介して上りデータを光信号に変換してＯＬＴ１に送信する。ＯＬＴ１では、光受信部１３にてＯＮＵ２からの光データ（光信号として送信された上りデータ）を電気信号に変換し、フレーム抽出部１２を介して上位通信装置５に送信する。一方、上位通信装置５からの下りデータは、フレーム多重部１０を介して光送信部１１にて電気信号から光信号に変換し、ＯＮＵ２に送信する。ＯＮＵ２では、光受信部２１にてＯＬＴ１からの光信号を電気信号に変換し、フレーム抽出部２０を介して端末通信装置６に送信する。
【００２２】
ＯＬＴ１では、ＯＮＵ２毎および論理リンク毎に、論理リンクの管理を行う。このとき使用する管理チャネルを論理リンク管理チャネルと呼ぶ。また、１台のＯＮＵ２との間に複数の論理リンクを設定している場合、複数の論理リンクに個別に設定されている管理チャネル（論理リンク管理チャネル）の中の１つを使用してＯＮＵの装置管理を行う。この装置管理用に使用する管理チャネルを装置管理チャネルと呼ぶ。ＯＬＴ１は、フレーム多重部１０において、論理リンク管理チャネルと装置管理チャネルのデータフレームを上位通信装置５からのデータと多重してＯＮＵ２に送信する。論理リンク管理チャネルのデータフレームは論理リンク管理部１５が生成し、装置管理チャネルのデータフレームは装置管理部１４が生成する。
【００２３】
ＯＮＵ２では、装置管理チャネルおよび論理リンク管理チャネルのデータフレームをフレーム抽出部２０において抽出し、ＯＬＴ１からの指示、すなわち、自装置（自ＯＮＵ２）の管理指示や管理チャネルを受信した論理リンクの管理指示、または制御指示に従った処理を実施する。このとき、応答が必要であれば、指示を受けた論理リンク管理チャネルまたは装置管理チャネルを使ってデータフレーム（応答フレーム）を送信する。データフレームは端末通信装置６が送信するデータフレームとフレーム多重部２２において多重され、ＯＬＴ１へ送信される。
【００２４】
次に、本発明の主要部分であるＯＬＴ１による装置管理方法について説明する。図２は、ＯＬＴ１の装置管理チャネル制御部１６で保持している論理リンク状態管理テーブルの一例を示す図である。この管理テーブルには、ＯＬＴ１に接続されている各ＯＮＵとの間に設定されている論理リンク各々の選択優先度と接続状態が記録されている。選択優先度とは、装置管理チャネルを設定する論理リンクを選択する場合の優先度である。装置管理チャネル制御部１６では、論理リンク毎に、装置管理チャネルを設定する論理リンク（装置管理チャネルのデータフレームを送受信する論理リンク）として選択する際の選択優先度と、各論理リンクの接続状態を監視している。ここでは、１台のＯＮＵ２に対して３つの論理リンクが設定された場合を示しているが、論理リンク数はこれに限定されるものではない。なお、選択優先度の値は小さい方が高優先度を意味するものとする。
【００２５】
次に、図３を使って、装置管理チャネル制御部１６が装置管理チャネル設定用の論理リンクを決定する処理について説明する。図３は、実施の形態１にかかるＯＬＴ１の装置管理チャネル制御部１６が装置管理チャネル設定用の論理リンクを決定する方法の一例を示すフローチャートである。ＯＬＴ１では、図３に示したように、配下のＯＮＵ２の論理リンクの接続状態が変化する毎に、接続状態が変化したＯＮＵ２の装置管理を行うために使用する論理リンクチャネル（すなわち、装置管理チャネルを設定する論理リンクチャネル）を選定し直す。
【００２６】
ＯＬＴ１において、装置管理チャネル制御部１６は、論理リンク管理部１５に問い合わせるなどして配下の各ＯＮＵ２との間の論理リンクの接続状態を監視しており（ステップＳ１０）、監視している論理リンクの中の１つでも接続状態が変化すると（ステップＳ１０：Ｙｅｓ）、ステップＳ１１に遷移して装置管理チャネルの選択処理を開始する。監視している各論理リンクの接続状態に変化がなければ（ステップＳ１０：Ｎｏ）、接続状態変化の監視を続ける。
【００２７】
装置管理チャネルの選択処理では、まず、インデックスとなる論理リンクＮｏを０に初期化する。またこのとき、装置管理リンクＮｏを０に、比較演算に用いる仮選択優先度を最大値（ここでは９９９９とする）にそれぞれ初期化する（ステップＳ１１）。装置管理リンクとは、装置管理チャネルを設定する論理リンクである。
【００２８】
次に、比較検討する論理リンク（論理リンクＮｏが示す論理リンク）の接続状態を確認する（ステップＳ１２）。そして、論理リンクＮｏが示す論理リンクが接続状態であれば（ステップＳ１２：Ｙｅｓ）、論理リンクＮｏが示す論理リンクの選択優先度と仮選択優先度を比較する（ステップＳ１３）。論理リンクＮｏが示す論理リンクの選択優先度とは、図２に示した管理テーブルに記載された選択優先度であり、接続状態が変化したＯＮＵにおける、各論理リンクＮｏに対応する選択優先度である。たとえば、ＯＮＵの管理番号（ＯＮＵ  Ｎｏ）が「１」のＯＮＵにおいて論理リンクの接続状態が変化し、現時点での論理リンクＮｏが「１」である場合、選択優先度は「１」となる。論理リンクＮｏが示す論理リンクの選択優先度が仮選択優先度よりも小さい場合（ステップＳ１３：Ｙｅｓ）、装置管理リンク（装置管理チャネルを設定する論理リンク）を現時点の論理リンクＮｏが示している論理リンクに仮決定するとともに、仮選択優先度を、現時点の論理リンクＮｏが示している論理リンクの選択優先度に更新する（ステップＳ１４）。
【００２９】
ステップＳ１４を実行すると、次に、論理リンクの接続状態が変化したＯＮＵに設定されている全ての論理リンクについて、上記ステップＳ１２〜Ｓ１４の処理を実行したかどうかを確認する（ステップＳ１５）。全ての論理リンクについて処理が終了した場合（ステップＳ１５：Ｙｅｓ）、装置管理チャネル設定用の論理リンクの決定処理を終了する。この場合、上記ステップＳ１４において仮決定した装置管理リンク（決定処理を終了した時点における装置管理リンクの値に対応する論理リンク）を最終的な装置管理リンク（装置管理チャネルを設定する論理リンク）に決定し、以降、この決定した論理リンクにて装置管理チャネルのデータフレームを送受信する。具体的には、装置管理チャネル制御部１６は、決定結果を論理リンク管理部１５経由で装置管理部１４に通知し、装置管理部１４は、ＯＮＵに管理用のデータを送信する際には、この装置管理チャネル制御部１６から通知された論理リンクチャネル経由で装置管理チャネルのデータフレームを送信する。一方、１つ以上の論理リンクについて処理が終了していない場合（ステップＳ１５：Ｎｏ）、論理リンクＮｏをインクリメントし（ステップＳ１６）、ステップＳ１２に戻って処理を継続する。
【００３０】
これに対して、上記ステップＳ１２において、論理リンクＮｏが示す論理リンクが切断状態と判断した場合（ステップＳ１２：Ｎｏ）、上記ステップＳ１３およびＳ１４を実行せずにステップＳ１５を実行する。また、上記ステップＳ１３において、論理リンクＮｏが示す論理リンクの選択優先度が仮選択優先度よりも大きいと判断した場合（ステップＳ１３：Ｎｏ）、ステップＳ１４を実行せずにステップＳ１５を実行する。
【００３１】
なお、上記ステップＳ１０において、複数ＯＮＵでの論理リンクの接続状態変動を検出した場合、接続状態が変化した各ＯＮＵに対して、ステップＳ１１〜Ｓ１６の処理をそれぞれ実施し、各ＯＮＵに対する装置管理チャネル設定用の論理リンクを決定する。
【００３２】
次に、ＯＬＴ１とＯＮＵ２の間の装置管理チャネルの設定変更動作を、図４のシーケンス図を使って説明する。図示したように、ＯＬＴ１では、始めはＯＮＵ２と３つの論理リンク（論理リンク＃１，＃２，＃３）を確立しており、論理リンク＃１，＃２，＃３にはそれぞれ選択優先度１，３，２が設定されている。また、選択優先度が最も高い論理リンク＃１を使用して装置管理チャネルを確立している。この状態から論理リンク＃１が未使用状態に遷移すると、ＯＮＵ２は、論理リンク＃１からＯＬＴ１に対して、接続断要求を送信する。ＯＬＴ１は接続断要求を受理すると、接続断承諾を当該論理リンク（論理リンク＃１）に送信する。この状態でＯＬＴ１とＯＮＵ２は共に論理リンク＃１が接続断であり、装置管理チャネルが断であると認識する。そこで、ＯＬＴ１は、図３に示した処理（ステップＳ１１〜Ｓ１６）を実行して装置管理チャネル設定用の論理リンクを再選択し、論理リンク＃３を新たな装置管理チャネルとして選択する。そして、選択した論理リンクに対して、ＯＬＴ１は装置管理チャネルとして用いることを指示する装置管理チャネル指示を送信する。ＯＮＵ２は論理リンク＃３を装置管理チャネルとして使用することを承諾すると、装置管理チャネル承諾フレームをＯＬＴ１に送信する。なお、図４に示したＬＬＩＤは、論理リンクの識別子（Logical  Link  ID）である。
【００３３】
ＯＮＵ２から装置管理チャネル承諾フレームを受信したＯＬＴ１では、装置管理チャネル制御部１６にて接続断許諾および装置管理指示フレームを生成する。一方、ＯＮＵ２では、装置管理チャネル制御部２６にて接続断許可および装置管理許諾フレームを生成し、ＯＬＴ１とＯＮＵ２の間でこれらフレームの送受を行う。
【００３４】
ＯＮＵ２は、論理リンク毎の管理を論理リンク管理部２５にて実施する。ＯＬＴ１から通知された装置管理チャネルの情報は、装置管理チャネル制御部２６にて解析され、解析結果が示す論理リンクを使用して装置管理チャネルを送受信するように、論理リンク管理部２５に指示する。論理リンク管理部２５は、指示された論理リンクから装置管理チャネルのデータフレームを受信した際には、装置管理部２４にデータを渡し、自装置の管理および制御処理を行う。また、応答が必要な場合は、装置管理部２４にて生成したデータ（装置管理データフレーム）を論理リンク管理部２５がＯＬＴ１へ送信する。このとき、論理リンク管理部２５は、ＯＬＴ１から指示された管理チャネルにてデータを送信する。
【００３５】
本実施の形態の通信システムにおける装置管理チャネルの移動動作（論理リンクの接続状態変動に伴う装置管理チャネルの再設定動作）について、従来の通信システムにおける動作と比較しながら説明する。図５は、従来の通信システムにおいて論理リンクの接続状態が変化した場合の動作例を示す図であり、図６は、本実施の形態の通信システムにおいて論理リンクの接続状態が変化した場合の動作例を示す図である。
【００３６】
従来のシステムにおいては、図５に示したように、論理リンク毎に論理リンク管理チャネルが存在し、そのうちの１つを装置管理チャネルとして固定して使用していた。そのため、たとえば、消費電力削減のために、使用しない論理リンク（一般データの送受信を行わない論理リンク）を切断する制御を適用した場合には、装置管理チャネルに用いていた論理リンクを切断してしまうと、装置管理チャネルの通信が行えなくなり、当該ＯＮＵを管理できない。または、装置管理チャネルに用いていた論理リンクについては切断することができず、消費電力を削減することができない。これに対して、本実施の形態の通信システムにおいては、ＯＬＴとＯＮＵの間で装置管理チャネルを接続中の論理リンクに移行させるため、任意の論理リンクを切断して消費電力を削減する場合であっても、ＯＮＵの装置管理を継続することができる。
【００３７】
また、従来技術に則り、装置管理チャネルを常に維持するシステム形態においては、装置管理チャネル用論理リンク（装置管理チャネル設定用の論理リンク）が固定されているため、図７に示すように、ＯＮＵがある１つの論理リンクでデータ通信を行っている場合、最低でも装置管理チャネル用論理リンク＃１とデータ通信用論理リンク＃３の２つの論理リンクが必要であった（装置管理チャネル用論理リンクと異なる論理リンクでデータ通信を行っている場合）。これに対して、本実施の形態の通信システムにおいては、装置管理チャネル用論理リンクの移動が可能であるため、図８に示すように、データ通信を行う論理リンク＃３のみを用いるようにして、論理リンク１つ分を維持する帯域を節約することができる。
【００３８】
具体的には、図７および図８に示すように、帯域更新周期毎にＯＮＵはＯＬＴから帯域割当フレーム（ＧＡＴＥ）を受信し、それに基づいて、各帯域更新周期では、論理リンク毎に帯域要求量フレーム（ＲＥＰＯＲＴ）を送信する。ラインレートが１Ｇｂｐｓの場合、１ＲＥＰＯＲＴフレームを送信するために、およそ２．５ｕｓ（Ｌａｓｅｒ  ＯＮ  ５１２ｎｓ，Ｓｙｎｃ  ｔｉｍｅ  ８００ｎｓ，ＲＥＰＯＲＴフレーム  ８４Ｂｙｔｅ分＝６７２ｎｓ，Ｌａｓｅｒ  ＯＦＦ  ５１２ｎｓ）の帯域を要する。ここで、１台のＯＬＴに対してＯＮＵが１２８台接続された場合について考える。帯域更新周期を１ｍｓとすると、ＯＮＵ１台から１論理リンク分のＲＥＰＯＲＴフレームを削減した場合０．２５％、ＯＮＵ１２８台全てから１論理リンク分のＲＥＰＯＲＴフレームを削減した場合３２％の帯域を節約できる。また、帯域更新周期を２ｍｓとすると、ＯＮＵ１台から１論理リンクリンク分のＲＥＰＯＲＴフレームを削減した場合０．１２５％、ＯＮＵ１２８台全てから１論理リンク分のＲＥＰＯＲＴフレームを削減した場合１６％の帯域を節約できる。以上のように、本実施の形態の通信システムでは、装置管理チャネルを固定しているシステムと比較して、帯域利用効率を向上させることができる。なお、図７および図８において、「Ｇ」はＧＡＴＥフレームを示し、「Ｒ」はＲＥＰＯＲＴフレームを示している。
【００３９】
このように、本実施の形態の通信システムにおいて、ＯＬＴは、配下の各ＯＮＵとの間の論理リンクの接続状態が変化した場合、あらかじめ設定しておいた各論理リンクの優先度に従い、その時点で最も優先度が高い論理リンクを装置管理チャネル用論理リンクに再設定することとした。これにより、装置管理チャネル用論理リンクとして使用していた論理リンクを切断した場合においても、新たな装置管理チャネル用論理リンクを使用してＯＮＵの装置管理を継続できる。また、システムの低消費電力化および上り帯域の利用効率向上を実現できる。
【００４０】
なお、図３に示した処理では、ステップＳ１０において論理リンクの接続状態が変化したことを検出した場合、必ずステップＳ１１以降の処理を実行することとしたが、装置管理チャネル用論理リンクが切断されたかどうかを確認し、この装置管理チャネル用論理リンクが切断された場合にステップＳ１１以降の処理を実行するようにしてもよい。
【００４１】
実施の形態２．
以上の実施の形態１は、論理リンクの接続状態が変化した場合、ＯＬＴが、各論理リンクに予め設定されている優先度（論理リンクの装置管理チャネルの選択優先度）に基づいて新たな装置管理チャネル用論理リンクを決定し、ＯＮＵの装置管理を維持するようにしたものであるが、次に、論理リンクの設定帯域に基づいて装置管理チャネル用論理リンクを決定する実施の形態を説明する。設定帯域とは、各論理リンクに個別に設定された通信帯域であり、設定帯域は、たとえば、その論理リンクを使用して提供を受けるサービスの契約内容に応じた値となる。なお、通信システムの構成、ＯＬＴおよびＯＮＵの構成は実施の形態１と同様である（図１参照）。本実施の形態では、実施の形態１と異なる部分について説明を行う。
【００４２】
図９は、実施の形態２にかかるＯＬＴの装置管理チャネル制御部１６で保持している論理リンク状態管理テーブルの一例を示す図である。この管理テーブルは、実施の形態１で説明した論理リンク状態管理テーブル（図２参照）の選択優先度を設定帯域に置き換えたものである。本実施の形態のＯＬＴでは、装置管理チャネル用論理リンクを決定する場合、設定帯域に基づいて決定する。
【００４３】
図１０は、実施の形態２にかかるＯＬＴ１の装置管理チャネル制御部１６が装置管理チャネル設定用の論理リンクを決定する方法の一例を示すフローチャートであり、実施の形態１で説明した装置管理チャネル設定用の論理リンクを決定する方法（図３参照）のステップＳ１１，Ｓ１３，Ｓ１４をステップＳ１１ａ，Ｓ１３ａ，Ｓ１４ａに置き換えたものである。ここでは、実施の形態１とは異なるステップＳ１１ａ，Ｓ１３ａ，Ｓ１４ａについてのみ説明する。
【００４４】
本実施の形態の装置管理チャネル制御部１６は、監視している論理リンクの中の少なくとも１つの接続状態が変化した場合（ステップＳ１０：Ｙｅｓ）、インデックスとなる論理リンクＮｏを０に初期化するとともに、装置管理リンクＮｏを０に初期化し、さらに、仮設定帯域を０に初期化する（ステップＳ１１ａ）。
【００４５】
その後、ステップＳ１２において、現在の論理リンクＮｏが示す論理リンクが接続状態であると判断した場合（ステップＳ１２：Ｙｅｓ）、論理リンクＮｏが示す論理リンクの設定帯域と仮設定帯域を比較する（ステップＳ１３ａ）。論理リンクＮｏが示す論理リンクの設定帯域とは、図９に示した管理テーブルに記載された設定帯域であり、接続状態が変化したＯＮＵにおける、各論理リンクＮｏに対応する設定帯域である。論理リンクＮｏが示す論理リンクの設定帯域が仮設定帯域よりも大きい場合（ステップＳ１３ａ：Ｙｅｓ）、装置管理チャネル用論理リンクを現時点の論理リンクＮｏが示している論理リンクに仮決定するとともに、仮設定帯域を、現時点の論理リンクＮｏが示している論理リンクの設定帯域に更新する（ステップＳ１４ａ）。
【００４６】
論理リンクの接続状態が変化したＯＮＵに設定されている全ての論理リンクについて、上記ステップＳ１２〜Ｓ１４ａの処理を実行した場合（ステップＳ１５：Ｙｅｓ）、装置管理チャネル設定用の論理リンクの決定処理を終了する。この場合、上記ステップＳ１４ａにおいて仮決定した装置管理リンク（決定処理を終了した時点における装置管理リンクの値に対応する論理リンク）を最終的な装置管理チャネル用論理リンクに決定し、以降、この決定した論理リンクにて装置管理チャネルのデータフレームを送受信する。
【００４７】
このように、本実施の形態の通信システムにおいて、ＯＬＴは、配下の各ＯＮＵとの間の論理リンクの接続状態が変化した場合、接続状態が変化したＯＮＵとの間の各論理リンクの設定帯域に従い、設定帯域が最も大きい論理リンクを装置管理チャネル用論理リンクに再設定することとした。これにより、実施の形態１と同様に、装置管理チャネル用論理リンクとして使用していた論理リンクを切断した場合においても、新たな装置管理チャネル用論理リンクを使用してＯＮＵの装置管理を継続できる。また、システムの低消費電力化および上り帯域の利用効率向上を実現できる。
【００４８】
また、設定帯域が大きい論理リンクを装置管理チャネル設定用の論理リンクとして設定することとしたので、実施の形態１のＯＬＴで必要としていた、論理リンクごとの選択優先度を保持するためのメモリ領域を節約できる。具体的には、選択優先度を格納するための領域×管理ＯＮＵ数×１ＯＮＵの論理リンク数分だけメモリ領域を節約できる。たとえば、選択優先度領域が１Ｂｙｔｅ，管理ＯＮＵ数が１２８台，１ＯＮＵの論理リンク数が８の場合には、１ＫＢｙｔｅ分を節約できる。また、最も高速に通信することが可能な論理リンクを選択するため、装置管理にかかる遅延、すなわち、ＯＮＵからＯＬＴへの装置管理用データフレームの送信遅延を低減できる。
【００４９】
実施の形態３．
以上の実施の形態２は、論理リンクの接続状態が変化した場合、ＯＬＴが、各論理リンクの設定帯域に基づいて新たな装置管理チャネル用論理リンクを決定し、ＯＮＵの装置管理を維持するようにしたものであるが、次に、論理リンクにおける帯域更新周期に基づいて装置管理チャネル用論理リンクを決定する実施の形態を説明する。なお、通信システムの構成、ＯＬＴおよびＯＮＵの構成は実施の形態１と同様である（図１参照）。本実施の形態では、実施の形態１，２と異なる部分について説明を行う。
【００５０】
図１１は、実施の形態３にかかるＯＬＴの装置管理チャネル制御部１６で保持している論理リンク状態管理テーブルの一例を示す図である。この管理テーブルは、実施の形態１で説明した論理リンク状態管理テーブル（図２参照）の選択優先度を帯域更新周期に置き換えたものである。本実施の形態のＯＬＴでは、装置管理チャネル用論理リンクを決定する場合、帯域更新周期に基づいて決定する。
【００５１】
図１２は、実施の形態３にかかるＯＬＴ１の装置管理チャネル制御部１６が装置管理チャネル設定用の論理リンクを決定する方法の一例を示すフローチャートであり、実施の形態１で説明した装置管理チャネル設定用の論理リンクを決定する方法（図３参照）のステップＳ１１，Ｓ１３，Ｓ１４をステップＳ１１ｂ，Ｓ１３ｂ，Ｓ１４ｂに置き換えたものである。ここでは、実施の形態１と異なるステップＳ１１ｂ，Ｓ１３ｂ，Ｓ１４ｂについてのみ説明する。
【００５２】
本実施の形態の装置管理チャネル制御部１６は、監視している論理リンクの中の少なくとも１つの接続状態が変化した場合（ステップＳ１０：Ｙｅｓ）、インデックスとなる論理リンクＮｏを０に初期化するとともに、装置管理リンクＮｏを０に初期化し、さらに、仮帯域更新周期を最大値（ここでは９９９９とする）に初期化する（ステップＳ１１ｂ）。
【００５３】
その後、ステップＳ１２において、現在の論理リンクＮｏが示す論理リンクが接続状態であると判断した場合（ステップＳ１２：Ｙｅｓ）、論理リンクＮｏが示す論理リンクの帯域更新周期と仮帯域更新周期を比較する（ステップＳ１３ｂ）。論理リンクＮｏが示す論理リンクの帯域更新周期とは、図１１に示した管理テーブルに記載された帯域更新周期であり、接続状態が変化したＯＮＵにおける、各論理リンクＮｏに対応する帯域更新周期である。論理リンクＮｏが示す論理リンクの帯域更新周期が仮帯域更新周期よりも小さい場合（ステップＳ１３ｂ：Ｙｅｓ）、装置管理チャネル用論理リンクを現時点の論理リンクＮｏが示している論理リンクに仮決定するとともに、仮帯域更新周期を、現時点の論理リンクＮｏが示している論理リンクの帯域更新周期に更新する（ステップＳ１４ｂ）。
【００５４】
論理リンクの接続状態が変化したＯＮＵに設定されている全ての論理リンクについて、上記ステップＳ１２〜Ｓ１４ｂの処理を実行した場合（ステップＳ１５：Ｙｅｓ）、装置管理チャネル設定用の論理リンクの決定処理を終了する。この場合、上記ステップＳ１４ｂにおいて仮決定した装置管理リンク（決定処理を終了した時点における装置管理リンクの値に対応する論理リンク）を最終的な装置管理チャネル用論理リンクに決定し、以降、この決定した論理リンクにて装置管理チャネルのデータフレームを送受信する。
【００５５】
このように、本実施の形態の通信システムにおいて、ＯＬＴは、配下の各ＯＮＵとの間の論理リンクの接続状態が変化した場合、接続状態が変化したＯＮＵとの間の各論理リンクの帯域更新周期に従い、帯域更新周期が最も小さい（短い）論理リンクを装置管理チャネル用論理リンクに再設定することとした。これにより、実施の形態１，２と同様に、装置管理チャネル用論理リンクとして使用していた論理リンクを切断した場合においても、新たな装置管理チャネル用論理リンクを使用してＯＮＵの装置管理を継続できる。また、システムの低消費電力化および上り帯域の利用効率向上を実現できる。
【００５６】
また、帯域更新周期が小さい論理リンクを装置管理チャネル設定用の論理リンクとして設定することとしたので、実施の形態２と同様に、実施の形態１のＯＬＴで必要としていた、論理リンクごとの選択優先度を保持するためのメモリ領域を節約できる。また、帯域更新周期が最も小さい論理リンクを選択するため、実施の形態２と同様に、装置管理にかかる遅延を低減できる。
【００５７】
実施の形態４．
以上の実施の形態３は、論理リンクの接続状態が変化した場合、ＯＬＴが、各論理リンクの帯域更新周期に基づいて新たな装置管理チャネル用論理リンクを決定し、ＯＮＵの装置管理を維持するようにしたものであるが、次に、論理リンクにおける上りトラヒック量に基づいて装置管理チャネル用論理リンクを決定する実施の形態を説明する。なお、通信システムの構成およびＯＮＵの構成は実施の形態１と同様であり（図１参照）、ＯＬＴの構成が一部異なる。本実施の形態では、実施の形態１〜３と異なる部分について説明を行う。
【００５８】
図１３は、実施の形態４にかかるＯＬＴの構成例を示す図である。図示したように、本実施の形態のＯＬＴ１ｃは、実施の形態１〜３のＯＬＴ１（図１参照）のフレーム抽出部１２および装置管理チャネル制御部１６を、フレーム抽出部１２ｃおよび装置管理チャネル制御部１６ｃに置き換えたものである。本実施の形態のＯＬＴ１ｃにおいては、フレーム抽出部１２ｃが、上位通信装置５へ送信する一般上りデータの論理リンクごとのトラヒック量情報を装置管理チャネル制御部１６ｃに通知し、装置管理チャネル制御部１６ｃは論理リンクごとのトラヒック量をカウントして保持しておく。図１４は、実施の形態３にかかるＯＬＴの装置管理チャネル制御部１６ｃで保持している論理リンク状態管理テーブルの一例を示す図である。この管理テーブルは、実施の形態１で説明した論理リンク状態管理テーブル（図２参照）の選択優先度をトラヒック量に置き換えたものである。装置管理チャネル制御部１６ｃは、予め設定した単位時間あたりのトラヒック量を論理リンク毎にカウントし、図１４の管理テーブル（トラヒック量の情報）を更新する。
【００５９】
図１５は、実施の形態４にかかるＯＬＴ１ｃの装置管理チャネル制御部１６ｃが装置管理チャネル設定用の論理リンクを決定する方法の一例を示すフローチャートであり、実施の形態１で説明した装置管理チャネル設定用の論理リンクを決定する方法（図３参照）のステップＳ１１，Ｓ１３，Ｓ１４をステップＳ１１ｃ，Ｓ１３ｃ，Ｓ１４ｃに置き換えたものである。ここでは、実施の形態１と異なるステップＳ１１ｃ，Ｓ１３ｃ，Ｓ１４ｃについてのみ説明する。
【００６０】
本実施の形態の装置管理チャネル制御部１６ｃは、監視している論理リンクの中の少なくとも１つの接続状態が変化した場合（ステップＳ１０：Ｙｅｓ）、インデックスとなる論理リンクＮｏを０に初期化するとともに、装置管理リンクＮｏを０に初期化し、さらに、仮トラヒック量を最大値（ここでは９９９９とする）に初期化する（ステップＳ１１ｃ）。
【００６１】
その後、ステップＳ１２において、現在の論理リンクＮｏが示す論理リンクが接続状態であると判断した場合（ステップＳ１２：Ｙｅｓ）、論理リンクＮｏが示す論理リンクのトラヒック量と仮トラヒック量を比較する（ステップＳ１３ｃ）。論理リンクＮｏが示す論理リンクのトラヒック量は、図１４に示した管理テーブルに記載されたトラヒック量であり、接続状態が変化したＯＮＵにおける、各論理リンクＮｏに対応するトラヒック量である。論理リンクＮｏが示す論理リンクのトラヒック量が仮トラヒック量よりも小さい場合（ステップＳ１３ｃ：Ｙｅｓ）、装置管理チャネル用論理リンクを現時点の論理リンクＮｏが示している論理リンクに仮決定するとともに、仮トラヒック量を、現時点の論理リンクＮｏが示している論理リンクのトラヒック量に更新する（ステップＳ１４ｃ）。
【００６２】
論理リンクの接続状態が変化したＯＮＵに設定されている全ての論理リンクについて、上記ステップＳ１２〜Ｓ１４ｃの処理を実行した場合（ステップＳ１５：Ｙｅｓ）、装置管理チャネル設定用の論理リンクの決定処理を終了する。この場合、上記ステップＳ１４ｃにおいて仮決定した装置管理リンク（決定処理を終了した時点における装置管理リンクの値に対応する論理リンク）を最終的な装置管理チャネル用論理リンクに決定し、以降、この決定した論理リンクにて装置管理チャネルのデータフレームを送受信する。
【００６３】
このように、本実施の形態の通信システムにおいて、ＯＬＴは、配下の各ＯＮＵとの間の論理リンクの接続状態が変化した場合、接続状態が変化したＯＮＵとの間の各論理リンクの上り方向のトラヒック量に従い、トラヒック量が最小の論理リンクを装置管理チャネル用論理リンクに再設定することとした。これにより、実施の形態１〜３と同様に、装置管理チャネル用論理リンクとして使用していた論理リンクを切断した場合においても、新たな装置管理チャネル用論理リンクを使用してＯＮＵの装置管理を継続できる。また、システムの低消費電力化および上り帯域の利用効率向上を実現できる。
【００６４】
また、トラヒック量が小さい論理リンクを装置管理チャネル設定用の論理リンクとして設定することとしたので、サービスの状態に応じて、最も輻輳していない論理リンクが設定され、実施の形態２，３と同様に、装置管理にかかる遅延を低減できる。
【００６５】
なお、上述した実施の形態２，３において、上り方向のトラヒック量を考慮した制御を行うようにしてもよい。たとえば、実施の形態２にかかる通信システムにおいては、接続中の論理リンクの中に設定帯域が最大のものが複数存在する場合（同じ設定帯域のものが複数存在しかつこの設定帯域が最大である場合）、これら複数の論理リンク（設定帯域が最大の論理リンク）のうち、トラヒック量がより少ない論理リンクを装置管理チャネル用論理リンクに設定するようにしてもよい。同様に、実施の形態３にかかる通信システムにおいては、接続中の論理リンクの中に帯域更新周期が最小のものが複数存在する場合、帯域更新周期が最小の複数の論理リンクのうち、トラヒック量がより少ない論理リンクを装置管理チャネル用論理リンクに設定するようにしてもよい。
【００６６】
実施の形態５．
以上の実施の形態１〜４は、装置管理チャネルの移動時には、ＯＬＴは装置管理チャネル指示を明示的にＯＮＵへ送信し、ＯＮＵは装置管理チャネル承諾をＯＬＴへ送信することにより、装置管理チャネルを明示的に移動するようにしたものであるが（図４参照）、次に、装置管理チャネルを暗黙的に移動する実施の形態を説明する。なお、通信システムの構成およびＯＬＴの構成は実施の形態１と同様であり（図１参照）、ＯＮＵの構成が一部異なる。本実施の形態では、実施の形態１〜４と異なる部分について説明を行う。
【００６７】
図１６は、実施の形態５にかかるＯＮＵの構成例を示す図である。図示したように、本実施の形態のＯＮＵ２ｄは、実施の形態１〜４のＯＮＵ２（図１参照）の論理リンク管理部２５を論理リンク管理部２５ｄに置き換え、さらに、装置管理チャネル制御部２６を削除したものである。
【００６８】
本実施の形態の通信システムにおいては、ＯＬＴ１は、装置管理チャネル指示フレームを送信せず、管理チャネルで送信するデータフレーム内の特定領域の設定値を使用して論理リンク管理チャネルのデータフレームかそれとも装置管理チャネルのデータフレームかをＯＮＵ２ｄに通知する。すなわち、ＯＬＴ１は、データフレーム内の特定領域に対し、論理リンク管理チャネルのデータフレームを示す値または装置管理チャネルのデータフレームを示す値を設定して送信する。そのため、ＯＮＵ２ｄにおいて、論理リンク管理部２５ｄは、ＯＬＴ１から受信した管理チャネルデータフレームを分解して上記特定領域に設定されている値を確認し、装置管理用（装置管理チャネル）を示す値であれば、当該フレームのデータを装置管理部２４に転送し、装置管理部２４は、論理リンク管理部２５ｄから受け取ったデータの内容に従い、装置の管理や設定などを行う。また装置の管理や設定に応答が必要な場合は、ＯＬＴ１が装置管理チャネルのデータフレーム送信で使用した論理リンクを使って応答する。ＯＮＵ２ｄが装置管理チャネルのデータフレーム（ＯＬＴ１から受信したフレームに対する応答フレームは除く）をＯＬＴ１へ送信する場合は、ＯＬＴ１が最近使用した装置管理用の論理リンクを用いても良く、任意の論理リンクを使って送信してもよい。このとき、データフレームには、装置管理チャネルのデータフレームであることを示す値を設定する。
【００６９】
図１７は、実施の形態５にかかる通信システムで使用する管理チャネルのデータフレームフォーマットの一例を示す図である。例示したデータフレームは、非特許文献１で規定されているＯＡＭフレームを基本として、このＯＡＭフレームを拡張したものである。フレームは、宛先アドレス（ＤＡ）、送信元アドレス（ＳＡ）、フレーム長またはタイプ（Ｌｅｎｇｔｈ／Ｔｙｐｅ）、サブタイプ（Ｓｕｂｔｙｅｐ）、装置状態を示すフラグ（Ｆｌａｇｓ）、フレーム種別を示すコード（Ｃｏｄｅ）、データを格納する領域（Ｄａｔａ／Ｐａｄ）およびフレームエラーチェック（ＦＣＳ）から構成される。また、図示したように、Ｄａｔａ領域には、ベンダを示すＯＵＩを示す領域が含まれている。本実施の形態で使用するデータフレームでは、ＯＵＩより後ろのＤａｔａ領域に、例えばＤａｔａ  ＴＬＶを定義する。このＤａｔａ  ＴＬＶを使用して装置管理用のデータと論理リンク管理用のデータを送信する。Ｄａｔａ  ＴＬＶには、タイプ（Ｔｙｐｅ）と長さ（Ｌｅｎｇｔｈ）と値（Ｖａｌｕｅ）を格納する。タイプに具体的な管理項目および設定項目を格納して送信するが、タイプの値は論理リンク用のタイプと装置管理用のタイプを用いる。こうすることで、受信側では、受信した管理チャネルデータフレームがＤａｔａ  ＴＬＶ毎に論理リンクの管理用であるか、装置管理用であるかを判断する。なお、管理用データは値（Ｖａｌｕｅ）領域に格納する。長さ（Ｌｅｎｇｔｈ）は、後続の値（Ｖａｌｕｅ）領域の長さを示す。１フレーム内に複数のＤａｔａ  ＴＬＶを設定し、各領域を論理リンク管理用のデータと装置管理用のデータとして使用してもよい（論理リンク管理用データと装置管理用データを１つのフレームに相乗りさせてもよい）。
【００７０】
図１８は、実施の形態５にかかる通信システムにおける装置管理用フレーム（Ｄａｔａ  ＴＬＶに装置管理用データを設定した管理チャネルデータフレーム）の送受信動作の一例を示す図である。
【００７１】
図示したように、ＯＬＴ１は、始めは論理リンク＃１で装置管理用フレームを送信している。ＯＮＵ２ｄは、論理リンク＃１にて受信した管理フレームの中身を見て、装置管理用であれば装置管理を処理し、論理リンク用であれば論理リンクの管理を処理する。論理リンク＃１を未使用状態に遷移させる場合、ＯＮＵ２ｄは、論理リンク＃１経由で接続断要求をＯＬＴ１へ送信し、ＯＬＴ１は論理リンク＃１経由で接続断承諾フレームをＯＮＵ２ｄへ送信する。その後、ＯＬＴ１では装置管理チャネルを選択した後（ここでは論理リンク＃３を装置管理チャネルに選択したものとして説明を続ける）、ＯＮＵ２ｄに装置管理チャネルの移行を明示することなく、管理フレームの装置管理用タイプ（装置管理用のデータが格納されたフレームであることを示す情報）を管理フレームに格納して論理リンク＃３からＯＮＵ２ｄへ送信する。ＯＮＵ２ｄは、受信した管理フレームに装置管理用タイプが設定されている場合、どの論理リンクから受信した管理フレームであるかを意識することなく、いずれの論理リンクから受信した場合においても、装置管理動作を実行する。図１８の例では、論理リンク＃３の管理フレームに装置管理用タイプが設定されているため、ＯＮＵ２ｄは、論理リンク＃３で受信した管理フレームの内容に従って装置管理を行う。応答が必要であれば管理フレームを受信した論理リンクと同じ論理リンク＃３にて応答用の管理フレームを送信する。送信する管理フレームには、装置管理用タイプを設定して送信する。
【００７２】
このように、本実施の形態の通信システムにおいて、ＯＬＴおよびＯＮＵは、管理チャネルデータフレームを送信する際、フレーム内のデータ格納領域の先頭部分に対して、論理リンク管理用データまたは装置管理用データを、管理データの種別を示す情報とともに設定して送信することとした。これにより、実施の形態１と同様に、ＯＬＴとＯＮＵの間で装置管理チャネルを接続中の論理リンクに移行させることが可能となり、任意の論理リンクを切断した状況でも、ＯＮＵの装置管理を継続することができる。
【００７３】
実施の形態１〜４では、明示的に装置管理チャネルを指定して使用しているので、誤った論理リンクから装置管理チャネル用のデータを受信しても、装置の誤った管理、設定を行わず、通信装置の信頼性を向上させることができる。これに対して、本実施の形態のように、暗黙的に管理フレームを用いれば、どの論理リンクを用いても良く、明示的な管理チャネル指示を省略することができる。また装置管理チャネルを冗長化できるため、装置管理について、通信装置の信頼性を向上させることができる。
【００７４】
なお、実施の形態１〜４において、ＯＬＴおよびＯＮＵは、管理チャネルのデータフレーム（論理リンク管理チャネルのデータフレーム，装置管理チャネルのデータフレーム）に対して管理チャネルの種別を示す情報（上記のＴｙｐｅ情報に相当する情報）を設定して送信するようにしてもよい。
【産業上の利用可能性】
【００７５】
以上のように、本発明にかかる論理リンク管理方法は、複数論理リンクを実装した装置の管理が必要な通信システムに適している。
【符号の説明】
【００７６】
１，１ｃ  ＯＬＴ（親局装置）
２，２ｄ  ＯＮＵ（子局装置）
３  光ファイバ
４  スプリッタ
５  上位通信装置
６  端末通信装置
１０，２２  フレーム多重部
１１，２３  光送信部
１２，１２ｃ，２０  フレーム抽出部
１３，２１  光受信部
１４，２４  装置管理部
１５，２５，２５ｄ  論理リンク管理部
１６，１６ｃ，２６  装置管理チャネル制御部
【図１】
2012090323.tif 000003
【図２】
2012090323.tif 000004
【図３】
2012090323.tif 000005
【図４】
2012090323.tif 000006
【図５】
2012090323.tif 000007
【図６】
2012090323.tif 000008
【図７】
2012090323.tif 000009
【図８】
2012090323.tif 000010
【図９】
2012090323.tif 000011
【図１０】
2012090323.tif 000012
【図１１】
2012090323.tif 000013
【図１２】
2012090323.tif 000014
【図１３】
2012090323.tif 000015
【図１４】
2012090323.tif 000016
【図１５】
2012090323.tif 000017
【図１６】
2012090323.tif 000018
【図１７】
2012090323.tif 000019
【図１８】
2012090323.tif 000020
【国際調査報告】
2012090323.tif 000021
2012090323.tif 000022